(57)【要約】      （修正有）【課題】シンプルな構成かつ簡単な作業で原反から巻き出された帯状のウエブをロールに巻き取ることができるとともに当該ロールからウエブを容易に取り外してこのロールを再利用することができ、また様々な設置スペースに設置可能なウエブ巻取装置およびウエブ巻取方法を提供する。【解決手段】ウエブ巻取装置は、帯状のウエブ４２が外周面に巻き取られるべきロール１０と、ロール１０を回転させる駆動部（例えば、駆動モータ）と、ロール１０とは別に設けられ、当該ロール１０の外周面に取付可能な差し込み棒３０とを備えており、駆動部によりロール１０が回転させられる際に、ロール１０および当該ロール１０の外周面に取り付けられた差し込み棒３０の組合せ体に帯状のウエブ４２が巻き取られるようになっている。【選択図】図５
2017001787.tif 000002
【特許請求の範囲】
【請求項１】
帯状のウエブが外周面に巻き取られるべきロールと、
前記ロールを回転させる駆動部と、
前記ロールとは別に設けられ、当該ロールの外周面に取付可能な差し込み棒と、
を備え、
前記駆動部により前記ロールが回転させられる際に、前記ロールおよび当該ロールの外周面に取り付けられた前記差し込み棒の組合せ体に帯状のウエブが巻き取られるようになっている、ウエブ巻取装置。
【請求項２】
前記差し込み棒の軸方向長さは前記ロールの軸方向長さと略同一である、請求項１記載のウエブ巻取装置。
【請求項３】
前記差し込み棒は円柱形状のものからなる、請求項１または２記載のウエブ巻取装置。
【請求項４】
前記差し込み棒はテープにより前記ロールの外周面に取り付けられるようになっている、請求項１乃至３のいずれか一項に記載のウエブ巻取装置。
【請求項５】
前記ロールを支持するためのロール支持部を更に備え、
前記ロール支持部は、前記ロールの周方向に沿って並ぶよう設けられた複数の回転自在の第１コロを含む、請求項１乃至４のいずれか一項に記載のウエブ巻取装置。
【請求項６】
帯状のウエブが芯に巻かれた原反が載置される原反載置部を更に備え、
前記原反載置部は、前記原反の周方向に沿って並ぶよう設けられた複数の回転自在の第２コロを含む、請求項１乃至５のいずれか一項に記載のウエブ巻取装置。
【請求項７】
前記ロールの軸方向端部の外側に設けられ、当該ロールが軸方向に移動することを抑制するためのストッパを更に備えた、請求項１乃至６のいずれか一項に記載のウエブ巻取装置。
【請求項８】
前記ストッパは、前記ロールの軸方向端部に対向し当該ロールが軸方向に移動することを抑制する停止位置と、前記停止位置から退避し前記ロールを前記駆動部から取り外し可能とする取り外し位置との間で移動自在となっている、請求項７記載のウエブ巻取装置。
【請求項９】
原反から巻き出された帯状のウエブをロールに巻き取るウエブ巻取方法であって、
前記ロールの外周面に差し込み棒を取り付ける工程と、
前記ロールを回転させ、前記ロールおよび当該ロールの外周面に取り付けられた前記差し込み棒の組合せ体に帯状のウエブを巻き取らせる工程と、
前記ロールおよびウエブの間から前記差し込み棒を取り出す工程と、
を備えた、ウエブ巻取方法。
【発明の詳細な説明】
【技術分野】
【０００１】
本発明は、原反から巻き出された帯状のウエブをロールに巻き取るウエブ巻取装置およびウエブ巻取方法に関する。
【背景技術】
【０００２】
従来から、紙の製造や印刷の分野において、帯状のウエブが芯に巻かれた原反の交換作業や品目の切替作業を行うにあたり、当該原反における残紙としてのウエブを手作業で巻き取って芯を再利用している。また、原反から残紙としてのウエブを巻き取る装置として、例えば特許文献１、２等に開示されるものが従来から知られている。
【先行技術文献】
【特許文献】
【０００３】
【特許文献１】特開平１０−２５０８８７号公報
【特許文献２】実開平４−２４０５６号公報
【発明の概要】
【発明が解決しようとする課題】
【０００４】
従来のウエブ巻取装置は、駆動軸および当該駆動軸と連れ回る従動軸を備えたものからなり、装置全体が大きくなってしまい設置スペースに制約があるという問題があった。また、特許文献１に開示されるウエブ巻取装置は原反の芯を再利用可能にする機能が付加されており、また、特許文献２に開示されるウエブ巻取装置は自走可能なものとなっているが、これらのウエブ巻取装置は構造が複雑であり装置全体が大型化してしまうため卓上に設置することができないという問題があった。
【０００５】
本発明は、このような点を考慮してなされたものであり、シンプルな構成かつ簡単な作業で原反から巻き出された帯状のウエブをロールに巻き取ることができるとともに当該ロールからウエブを容易に取り外してこのロールを再利用することができ、また様々な設置スペースに設置可能なウエブ巻取装置およびウエブ巻取方法を提供することを目的とする。
【課題を解決するための手段】
【０００６】
本発明のウエブ巻取装置は、帯状のウエブが外周面に巻き取られるべきロールと、前記ロールを回転させる駆動部と、前記ロールとは別に設けられ、当該ロールの外周面に取付可能な差し込み棒と、を備え、前記駆動部により前記ロールが回転させられる際に、前記ロールおよび当該ロールの外周面に取り付けられた前記差し込み棒の組合せ体に帯状のウエブが巻き取られるようになっていることを特徴とする。
【０００７】
このようなウエブ巻取装置によれば、ロールの外周面に取付可能な差し込み棒が当該ロールとは別に設けられており、駆動部によりロールが回転させられる際に、ロールおよび当該ロールの外周面に取り付けられた差し込み棒の組合せ体に帯状のウエブが巻き取られるようになる。この場合には、ロールおよび差し込み棒の組合せ体に帯状のウエブが巻き取られた後、ロールおよびウエブの間に位置する差し込み棒を当該ロールの外周面から引き抜くことにより、ロールの外周面とウエブとの間に隙間が形成されるようになるため、作業者はウエブをロールから容易に取り外して当該ロールを再利用することができるようになる。このように、本発明によるウエブ巻取装置では、シンプルな構成かつ簡単な作業で原反から巻き出された帯状のウエブをロールに巻き取ることができるとともに当該ロールからウエブを容易に取り外してこのロールを再利用することができ、またウエブ巻取装置を様々な設置スペースに設置することができる。また、帯状のウエブをロールの外周面に巻き取る間、作業者はウエブ巻取装置から離れて他の作業を行うことができるようになる。
【０００８】
本発明のウエブ巻取装置においては、前記差し込み棒の軸方向長さは前記ロールの軸方向長さと略同一であってもよい。
【０００９】
本発明のウエブ巻取装置においては、前記差し込み棒は円柱形状のものからなっていてもよい。
【００１０】
本発明のウエブ巻取装置においては、前記差し込み棒はテープにより前記ロールの外周面に取り付けられるようになっていてもよい。
【００１１】
本発明のウエブ巻取装置は、前記ロールを支持するためのロール支持部を更に備え、前記ロール支持部は、前記ロールの周方向に沿って並ぶよう設けられた複数の回転自在の第１コロを含んでいてもよい。
【００１２】
本発明のウエブ巻取装置は、帯状のウエブが芯に巻かれた原反が載置される原反載置部を更に備え、前記原反載置部は、前記原反の周方向に沿って並ぶよう設けられた複数の回転自在の第２コロを含んでいてもよい。
【００１３】
本発明のウエブ巻取装置は、前記ロールの軸方向端部の外側に設けられ、当該ロールが軸方向に移動することを抑制するためのストッパを更に備えていてもよい。
【００１４】
この場合、前記ストッパは、前記ロールの軸方向端部に対向し当該ロールが軸方向に移動することを抑制する停止位置と、前記停止位置から退避し前記ロールを前記駆動部から取り外し可能とする取り外し位置との間で移動自在となっていてもよい。
【００１５】
本発明のウエブ巻取方法は、原反から巻き出された帯状のウエブをロールに巻き取るウエブ巻取方法であって、前記ロールの外周面に差し込み棒を取り付ける工程と、前記ロールを回転させ、前記ロールおよび当該ロールの外周面に取り付けられた前記差し込み棒の組合せ体に帯状のウエブを巻き取らせる工程と、前記ロールおよびウエブの間から前記差し込み棒を取り出す工程と、を備えたことを特徴とする。
【００１６】
このようなウエブ巻取方法によれば、ロールの外周面に差し込み棒を取り付けた後、ロールを回転させ、ロールおよび当該ロールの外周面に取り付けられた差し込み棒の組合せ体に帯状のウエブを巻き取らせるようになる。この場合には、ロールおよび差し込み棒の組合せ体に帯状のウエブが巻き取られた後、ロールおよびウエブの間に位置する差し込み棒を当該ロールの外周面から取り外すことにより、ロールの外周面とウエブとの間に隙間が形成されるようになるため、作業者はウエブをロールから容易に取り外して当該ロールを再利用することができるようになる。このように、本発明によるウエブ巻取方法では、シンプルな構成かつ簡単な作業で原反から巻き出された帯状のウエブをロールに巻き取ることができるとともに当該ロールからウエブを容易に取り外してこのロールを再利用することができる。また、帯状のウエブをロールの外周面に巻き取る間、作業者は他の作業を行うことができるようになる。
【発明の効果】
【００１７】
本発明のウエブ巻取装置およびウエブ巻取方法によれば、シンプルな構成かつ簡単な作業で原反から巻き出された帯状のウエブをロールに巻き取ることができるとともに当該ロールからウエブを容易に取り外してこのロールを再利用することができ、またウエブ巻取装置を様々な設置スペースに設置することができる。
【図面の簡単な説明】
【００１８】
【図１】本発明の実施の形態によるウエブ巻取装置の構成を概略的に示す斜視図である。
【図２】図１に示すウエブ巻取装置の側面図である。
【図３】図１に示すウエブ巻取装置におけるロールを駆動させる駆動モータおよびロールが軸方向に移動することを抑制するためのストッパ等の構成を示す正面図である。
【図４】図１等に示すウエブ巻取装置により帯状のウエブをロールに巻き取る動作を示す側面図である。
【図５】図４に示す状態から引き続く、図１等に示すウエブ巻取装置により帯状のウエブをロールに巻き取る動作を示す側面図である。
【図６】図５に示す状態から引き続く、図１等に示すウエブ巻取装置により帯状のウエブをロールに巻き取る動作を示す側面図である。
【図７】図６に示す状態から引き続く、図１等に示すウエブ巻取装置により帯状のウエブをロールに巻き取る動作を示す側面図である。
【図８】図７に示す状態から引き続く、ロールおよび差し込み棒の組合せ体から差し込み棒を引き抜いた後にウエブをロールから取り出す動作を示す側面図である。
【発明を実施するための形態】
【００１９】
以下、図面を参照して本発明の実施の形態について説明する。図１乃至図８は、本実施の形態によるウエブ巻取装置およびこのようなウエブ巻取装置によるウエブ巻取方法を示す図である。このうち、図１は、本実施の形態によるウエブ巻取装置の構成を概略的に示す斜視図であり、図２は、図１に示すウエブ巻取装置の側面図であり、図３は、図１に示すウエブ巻取装置におけるロールを駆動させる駆動モータおよびロールが軸方向に移動することを抑制するためのストッパ等の構成を示す正面図である。また、図４乃至図７は、それぞれ、図１等に示すウエブ巻取装置により帯状のウエブをロールに巻き取る動作を示す側面図であり、図８は、図７に示す状態から引き続く、ロールおよび差し込み棒の組合せ体から差し込み棒を引き抜いた後にウエブをロールから取り出す動作を示す側面図である。
【００２０】
本実施の形態によるウエブ巻取装置は、帯状のウエブ４２が芯４１に巻かれた原反４０（図４参照）の交換作業や品目の切替作業を行うにあたり、当該原反４０における残紙としてのウエブ４２をロール１０に巻き取るものである。図１に示すように、このようなウエブ巻取装置は、円柱形状のロール１０と、当該ロール１０の一方の側方に設けられ、当該ロール１０を回転させる駆動モータ１４が内蔵されたケーシング１２と、ロール１０とは別に設けられ、当該ロール１０の外周面に取付可能な円柱形状の差し込み棒３０とを備えており、駆動モータ１４によりロール１０が回転させられる際に、ロール１０および当該ロール１０の外周面に取り付けられた差し込み棒３０の組合せ体に帯状のウエブ４２が巻き取られるようになっている。ここで、ロール１０としては例えばポリ塩化ビニル管が用いられるようになっているが、他の例としてロール１０として鉄管が用いられるようになっていてもよい。また、駆動モータ１４のトルクは比較的小さくなっている。このことにより、駆動モータ１４により回転させられるロール１０を作業者は手で止めることができるようになる。なお、このような駆動モータ１４は防塵仕様であってもよい。また、駆動モータ１４にトルクリミッタが設けられており、作業者によりロール１０が手で止められたときに駆動モータ１４からロール１０への駆動力の伝達が当該トルクリミッタにより遮断されるようになっていてもよい。
【００２１】
また、差し込み棒３０は例えばテープによりロール１０の外周面に取り付けられるようになっている。なお、ロール１０の外周面への差し込み棒３０の取付方法はテープに限定されることはなく、他の様々な方法により差し込み棒３０がロール１０の外周面に取付可能となっていてもよい。例えば、差し込み棒３０の外周面に取付部材が設けられているとともに、ロール１０の外周面に当該取付部材が着脱自在に取り付けられる被取付部材が設けられており、作業者が手動で差し込み棒３０の取付部材をロール１０の被取付部材に取り付けることにより差し込み棒３０がロール１０の外周面に取り付けられるようになっていてもよい。また、更に他の例としては、例えば帯状のマジックテープ（登録商標）でロール１０および差し込み棒３０の軸方向端部近傍の箇所を一体的に巻くことにより当該差し込み棒３０がロール１０の外周面に取り付けられるようになっていてもよい。
【００２２】
また、本実施の形態によるウエブ巻取装置においては、差し込み棒３０の軸方向長さはロール１０の軸方向長さと略同一となっている。なお、本実施の形態によるウエブ巻取装置はこのような態様に限定されることはなく、ロール１０に巻き取られるべきウエブ４２の幅がそれほど大きくない場合には、差し込み棒３０の軸方向長さがロール１０の軸方向長さよりも短くなっていてもよい。
【００２３】
また、図１および図２に示すように、本実施の形態によるウエブ巻取装置においては、ロール１０を支持するためのロール支持部として複数（具体的には、一対）の回転自在のコロ１６（第１コロ）が設けられている。これらのコロ１６はそれぞれコロ支持部材１８に回転自在に支持されている。また、これらのコロ１６は、ロール１０の周方向に沿って並ぶよう設けられている。このような複数の回転自在のコロ１６からなるロール支持部が設けられていることにより、ロール１０が駆動モータ１４により回転させられる際に各コロ１６の上でロール１０をスムーズに回転させることができ、また、ロール１０の位置がずれてしまうことを抑制することができるようになる。
【００２４】
また、図１、図２および図４等に示すように、本実施の形態によるウエブ巻取装置は、互いに平行に延びる一対の棒状部材２０およびこれらの棒状部材２０の間に設けられた板状部材２６からなる架台を備えており、この架台には、帯状のウエブ４２が芯４１に巻かれた原反４０が載置される原反載置部が設けられている。具体的には、原反載置部として複数の回転自在のコロ２２（第２コロ）が設けられており、これらのコロ２２はそれぞれコロ支持部材２４に回転自在に支持されている。より詳細には、各々の棒状部材２０に２つのコロ支持部材２４が取り付けられており、各コロ支持部材２４により回転自在に支持されるコロ２２は、原反４０の周方向に沿って並ぶよう設けられている。このような複数の回転自在のコロ２２からなる原反載置部が設けられていることにより、原反４０からウエブ４２が巻き取られる際に各コロ２２の上で原反４０をスムーズに回転させることができ、また、原反４０の位置がずれてしまうことを抑制することができるようになる。
【００２５】
また、図３に示すように、ロール１０の軸方向両端部にはそれぞれカップ状のヘッド部材１０ａ、１０ｂが着脱自在に設けられている。ここで、一方のヘッド部材１０ａには駆動モータ１４が取り付けられており、ロール１０の一方の軸方向端部がヘッド部材１０ａに嵌め込まれると、ヘッド部材１０ａに設けられた位置決めピン（図示せず）がロール１０に設けられた開口（図示せず）に嵌まることによって、駆動モータ１４が駆動したときにロール１０およびヘッド部材１０ａが一体的に回転するようになっている。
【００２６】
また、本実施の形態によるウエブ巻取装置においては、帯状のウエブ４２をロール１０の外周面に巻き取る際にロール１０が軸方向に移動することを抑制するためのストッパ１９が当該ロール１０の軸方向端部（厳密には、駆動モータ１４が設けられた側とは反対側のロール１０の軸方向端部）の外側に設けられている。図３に示すように、このようなストッパ１９は軸１９ａを中心として回転可能となっている。具体的には、ストッパ１９は、図３において実線で示すような、ロール１０の軸方向端部に取り付けられたヘッド部材１０ｂに対向しロール１０が軸方向（厳密には、図３における右方向）に移動することを抑制する停止位置と、図３において二点鎖線で示すような、このような停止位置から退避しロール１０を駆動モータ１４から取り外し可能とする取り外し位置との間で移動自在となっている。また、図３に示すように、ヘッド部材１０ｂには突起１０ｃが形成されており、ストッパ１９にはこのような突起１０ｃが通過する開口１９ｂが設けられている。このことにより、ストッパ１９が図３において実線で示すような停止位置に位置しているときには、ロール１０の軸方向端部に取り付けられたヘッド部材１０ｂの突起１０ｃがストッパ１９の開口１９ｂの中に入るようになり、ロール１０の移動が抑制されるようになる。
【００２７】
また、軸１９ａにはねじりバネ（図示せず）が設けられており、このようなねじりバネによって、ストッパ１９に何ら力が加えられていないときには当該ストッパ１９は図３において実線で示すような停止位置に維持されるようになっている。一方、作業者がロール１０を駆動モータ１４から取り外す際には、作業者はねじりバネによる力に抗して手動でストッパ１９を図３において二点鎖線で示すような取り外し位置に倒すことによってロール１０を駆動モータ１４から取り外すことができるようになる。
【００２８】
次に、このような構成からなるウエブ巻取装置によるウエブ巻取方法について図４乃至図８を用いて説明する。
【００２９】
まず、図４に示すように、作業者はロール１０の外周面に差し込み棒３０をテープ等により取り付ける。また、作業者は帯状のウエブ４２が芯４１に巻かれた原反４０を各コロ２２の上に載置する。そして、作業者は原反４０からウエブ４２の先端部分を引っ張り出し、このウエブ４２の先端部分をロール１０の外周面に取り付ける。
【００３０】
次に、図５に示すように、作業者は図示しない駆動モータ１４のスイッチを入れることによって当該駆動モータ１４を駆動させる。このことにより、ロール１０および差し込み棒３０の組合せ体は図５における時計回りの方向に一体的に回転し、原反４０から巻き出されたウエブ４２はこの組合せ体に巻かれるようになる。そして、原反４０からウエブ４２が全て巻き出されて組合せ体に巻かれると、原反４０においてウエブ４２の終端部分が芯４１の外周面に取り付けられていない場合には図６に示すようにウエブ４２がロール１０および差し込み棒３０の組合せ体に巻かれた状態で当該組合せ体が空回りするようになる。このため、帯状のウエブ４２をロール１０の外周面に巻き取る間、作業者はウエブ巻取装置から離れて他の作業を行うことができるようになる。なお、原反４０においてウエブ４２の終端部分が芯４１の外周面に取り付けられている場合には、駆動モータ１４のトルクが比較的小さいことにより、ロール１０および差し込み棒３０の組合せ体に巻かれたウエブ４２の終端部分が芯４１の外周面に残った状態で当該組合せ体が停止するようになる。
【００３１】
その後、操作者は駆動モータ１４を停止させ、ロール１０を駆動モータ１４から取り外す。より詳細には、作業者は手動でストッパ１９を図３において実線で示すような停止位置から二点鎖線で示すような取り外し位置に倒すことによってロール１０をヘッド部材１０ａから取り外す。
【００３２】
図８（ａ）は、駆動モータ１４から取り外されたロール１０および差し込み棒３０の組合せ体を示す図である。図８（ａ）に示すような状態において、ロール１０およびウエブ４２の間に位置する差し込み棒３０を当該ロール１０の外周面から引き抜く（図８（ｂ）参照）。このことにより、ロール１０の外周面とウエブ４２との間に隙間が形成されるようになる。その後、作業者はウエブ４２をロール１０から取り外す（図８（ｃ）参照）。このようにして、作業者はロール１０を再利用することができるようになる。
【００３３】
以上のような構成からなる本実施の形態によるウエブ巻取装置およびこのようなウエブ巻取装置によるウエブ巻取方法によれば、ロール１０の外周面に取付可能な差し込み棒３０が当該ロール１０とは別に設けられており、駆動モータ１４によりロール１０が回転させられる際に、ロール１０および当該ロール１０の外周面に取り付けられた差し込み棒３０の組合せ体に帯状のウエブ４２が巻き取られるようになっている。この場合には、ロール１０および差し込み棒３０の組合せ体に帯状のウエブ４２が巻き取られた後、ロール１０およびウエブ４２の間に位置する差し込み棒３０を当該ロール１０の外周面から引き抜くことにより、ロール１０の外周面とウエブ４２との間に隙間が形成されるようになるため、作業者はウエブ４２をロール１０から容易に取り外し、当該ロール１０を再利用することができるようになる。このように、本実施の形態によるウエブ巻取装置およびウエブ巻取方法では、シンプルな構成かつ簡単な作業で原反４０から巻き出された帯状のウエブ４２をロール１０に巻き取ることができるとともに当該ロール１０から容易にウエブ４２を取り外してこのロール１０を再利用することができ、またウエブ巻取装置を様々な設置スペースに設置することができる。また、帯状のウエブ４２をロール１０の外周面に巻き取る間、作業者はウエブ巻取装置から離れて他の作業を行うことができるようになる。
【００３４】
また、本実施の形態のウエブ巻取装置においては、上述したように、差し込み棒３０の軸方向長さはロール１０の軸方向長さと略同一となっている。このことにより、ロール１０に巻き取られるべき帯状のウエブ４２の幅方向が様々な大きさとなっている場合でも、１つの差し込み棒３０で対応することができるようになる。また、本実施の形態のウエブ巻取装置においては、差し込み棒３０は円柱形状のものからなっている。また、差し込み棒３０はテープによりロール１０の外周面に取り付けられるようになっている。
【００３５】
また、本実施の形態のウエブ巻取装置においては、上述したように、ロール１０を支持するためのロール支持部として、ロール１０の周方向に沿って並ぶよう設けられた複数の回転自在のコロ１６（第１コロ）が設けられている。この場合には、ロール１０が駆動モータ１４により回転させられる際に各コロ１６の上でロール１０をスムーズに回転させることができ、また、ロール１０の位置がずれてしまうことを抑制することができるようになる。
【００３６】
また、本実施の形態のウエブ巻取装置においては、上述したように、帯状のウエブ４２が芯４１に巻かれた原反４０が載置される原反載置部として、原反４０の周方向に沿って並ぶよう設けられた複数の回転自在のコロ２２（第２コロ）が設けられている。この場合には、原反４０からウエブ４２が巻き取られる際に各コロ２２の上で原反４０をスムーズに回転させることができ、また、原反４０の位置がずれてしまうことを抑制することができるようになる。
【００３７】
また、本実施の形態のウエブ巻取装置においては、上述したように、ロール１０の軸方向端部の外側には、当該ロール１０が軸方向に移動することを抑制するためのストッパ１９が設けられている。また、ストッパ１９は、ロール１０の軸方向端部（厳密には、ヘッド部材１０ｂ）に対向し当該ロール１０が軸方向に移動することを抑制する停止位置（図３において実線で表示）と、停止位置から退避しロール１０を駆動モータ１４から取り外し可能とする取り外し位置（図３において二点鎖線で表示）との間で移動自在となっている。これらの技術的事項によれば、ロール１０が軸方向に移動することをストッパ１９によって確実に防止することができるようになる。
【００３８】
なお、本実施の形態によるウエブ巻取装置やウエブ巻取方法は、上述したような態様に限定されることはなく、様々な変更を加えることができる。
【００３９】
例えば、上記のウエブ巻取装置ではロール１０は駆動モータ１４により回転させられるようになっているが、ウエブ巻取装置の他の構成例として、駆動モータ１４が設置されておらずロール１０が手動で回転させられるようになっていてもよい。
【符号の説明】
【００４０】
１０    ロール
１０ａ、１０ｂ  ヘッド部材
１０ｃ  突起
１２    ケーシング
１４    駆動モータ
１６    コロ
１８    コロ支持部材
１９    ストッパ
１９ａ  軸
１９ｂ  開口
２０    棒状部材
２２    コロ
２４    コロ支持部材
２６    板状部材
３０    差し込み棒
４０    原反
４１    芯
４２    ウエブ
【図１】
2017001787.tif 000003
【図２】
2017001787.tif 000004
【図３】
2017001787.tif 000005
【図４】
2017001787.tif 000006
【図５】
2017001787.tif 000007
【図６】
2017001787.tif 000008
【図７】
2017001787.tif 000009
【図８】
2017001787.tif 000010